(57)【特許請求の範囲】
【請求項１】
エレベータのかご室の天井の上部に渡された上梁に取り付けられるエレベータかご室用空調機器であって、前記上梁に取り付けられた場合にダクトが取り付けられるダクト取付部を、前記かご室の天井に対向する面となる下面に備えたエレベータかご室用空調機器の取付構造において、
前記空調機器の長手方向の長さと略同じ長さの細長材であるとともに、前記上梁に取り付けられた第１細長材と、
前記空調機器の長手方向の長さと略同じ長さの細長材であるとともに、前記第１細長材に対して、前記空調機器の長手方向に略直交する方向の前記ダクト取付部の最大幅よりも大きな間隔を隔てて前記上梁に並設された第２細長材と、
前記空調機器の下面側において長手方向の端部に取り付けられ、前記第１細長材の一方の端部と組み合う第１台座と、
前記空調機器の下面側において長手方向の端部に取り付けられ、前記第１細長材の他方の端部と組み合う第２台座と、
前記空調機器の下面側において長手方向の端部に取り付けられ、前記第２細長材の一方の端部と組み合う第３台座と、
前記空調機器の下面側において長手方向の端部に取り付けられ、前記第２細長材の他方の端部と組み合う第４台座と
を備え、
前記第１台座から第２台座に向かう方向は、
前記第３台座から前記第４台座に向かう方向であり、
前記第１台座、前記第２台座、前記第３台座、前記第４台座は、
対応する前記第１細長材、前記第２細長材と組み合うと、前記ダクト取付部が前記第１細長材と前記第２細長材との間に挟まれる位置に取り付けられており、
前記第１台座は、
前記第１細長材の長手方向に対して略直交する方向にねじ込まれた第１ボルトによって、前記第１細長材の前記一方の端部に固定され、
前記第２台座は、
第２ボルトによって、前記第１細長材の前記他方の端部に固定され、
前記第３台座は、
前記第１ボルトのボルト軸の略延長線上でねじ込まれた第３ボルトによって、前記第２細長材の前記一方の端部に固定され、
前記第４台座は、
第４ボルトによって、前記第２細長材の前記他方の端部に固定され
たことを特徴とするエレベータかご室用空調機器の取付構造。
【請求項２】
前記エレベータかご室用空調機器は、
前記第２ボルトと前記第４ボルトとを取り外すとともに、前記第１ボルトと前記第３とを緩めると、前記第１ボルトと前記３ボルトとを支点として回転可能であることを特徴とする請求項１記載のエレベータかご室用空調機器の取付構造。
【請求項３】
前記エレベータかご室用空調機器の取付構造は、さらに、
前記第２ボルトと前記第４ボルトとを取り外した状態において、前記第２台座と前記第１細長材の前記他方の端部とを連結する連結部材を備えたことを特徴とする請求項１または２のいずれかに記載のエレベータかご室用空調機器の取付構造。
【発明の詳細な説明】
【技術分野】
【０００１】
この発明は、エレベータのかご室の空調を行なう空調機器の取付構造に関する。
【背景技術】
【０００２】
エレベータでは、かご室内を快適にするため、かご室の天井の上部に空調機器を設置し、かご室を空調している（例えば、特許文献１）。従来では、空調機器を設置する場合、その取付構造は、例えば、図８の様であった。図８は、直方体形状の空調機器を側面（長手方向に直交するほうの面）から見た図である。図８に示すように、空調機器４は、防振ゴムを介して、空調機器４の高さ方向に通された取付台ボルトと、この取付台ボルトを締め付けるナットにより、かご室の上部に設けられた取付台に取付られていた。かご室の上部はスペースが少なく、そこに空調機器を設置する場合には、設置作業性が悪かった。また、空調機器を設置した後の保守作業の際には、作業スペースが狭いため、空調機器を取外す必要があり、保守作業の負担が大きかった。
【特許文献１】特開２００１−１９９６５７号公報
【発明の開示】
【発明が解決しようとする課題】
【０００３】
この発明は、エレベータかご室用空調機器の据付作業及び保守作業の負担を軽減するエレベータかご室用空調機器の取付構造を提供することを目的とする。
【課題を解決するための手段】
【０００４】
この発明のエレベータかご室用空調機器の取付構造は、
エレベータのかご室の天井の上部に渡された上梁に取り付けられるエレベータかご室用空調機器であって、前記上梁に取り付けられた場合にダクトが取り付けられるダクト取付部を、前記かご室の天井に対向する面となる下面に備えたエレベータかご室用空調機器の取付構造において、
前記空調機器の長手方向の長さと略同じ長さの細長材であるとともに、前記上梁に取り付けられた第１細長材と、
前記空調機器の長手方向の長さと略同じ長さの細長材であるとともに、前記第１細長材に対して、前記空調機器の長手方向に略直交する方向の前記ダクト取付部の最大幅よりも大きな間隔を隔てて前記上梁に並設された第２細長材と、
前記空調機器の下面側において長手方向の端部に取り付けられ、前記第１細長材の一方の端部と組み合う第１台座と、
前記空調機器の下面側において長手方向の端部に取り付けられ、前記第１細長材の他方の端部と組み合う第２台座と、
前記空調機器の下面側において長手方向の端部に取り付けられ、前記第２細長材の一方の端部と組み合う第３台座と、
前記空調機器の下面側において長手方向の端部に取り付けられ、前記第２細長材の他方の端部と組み合う第４台座と
を備え、
前記第１台座から第２台座に向かう方向は、
前記第３台座から前記第４台座に向かう方向であり、
前記第１台座、前記第２台座、前記第３台座、前記第４台座は、
対応する前記第１細長材、前記第２細長材と組み合うと、前記ダクト取付部が前記第１細長材と前記第２細長材との間に挟まれる位置に取り付けられており、
前記第１台座は、
前記第１細長材の長手方向に対して略直交する方向にねじ込まれた第１ボルトによって、前記第１細長材の前記一方の端部に固定され、
前記第２台座は、
第２ボルトによって、前記第１細長材の前記他方の端部に固定され、
前記第３台座は、
前記第１ボルトのボルト軸の略延長線上でねじ込まれた第３ボルトによって、前記第２細長材の前記一方の端部に固定され、
前記第４台座は、
第４ボルトによって、前記第２細長材の前記他方の端部に固定された
ことを特徴とする。
【発明の効果】
【０００５】
この発明により、エレベータかご室用空調機器の据付作業及び保守作業の負担を軽減するエレベータかご室用空調機器の取付構造を提供することができる。
【発明を実施するための最良の形態】
【０００６】
実施の形態１．
図１〜図７を参照して実施の形態１を説明する。
【０００７】
図１、図２を参照して、空調機器４がエレベータのかご室１の上部に取り付けられた状態を説明するとともに、図３を参照して実施の形態１における空調機器４の取付構造の特徴を示す。図１は、かご室天井９の上部に空調機器４が取り付けられた状態を昇降路に対して直角方向からみた場合を示す図である。図２は、空調機器４が取り付けられた状態を昇降路の上部からみた場合を示す図である。図３は、本実施の形態１の取付構造の特徴を示す図である。その特徴は、図３に示すように、空調機器４がボルト１２ｂを回転の支点として回転可能であることを特徴とする。これにより、図１に対して、かご室天井９に対して空調機器４を、さらに△Ｂだけ持ち上げることができるので、以下のように作業スペースの確保が可能となるメリットがある。
【０００８】
空調機器４は、取付台６１に取り付けられているが、図１、図２に示す取付状態でメンテナンスしようとすると作業性が悪い。すなわち、図３のように空調機器４を回転することなく、図１のように空調機器４が水平に設置されている状態でメンテナンスしようとする場合は、例えば以下の点で作業性が悪い。
（１）図１において、電装品ボックス８をメンテナンスしようとする場合、手摺７が電装品ボックス８と同じような高さに位置し、また、図２に示すように、水平方向で、手摺７と電装品ボックス８との間が狭いため、作業者の作業スペースがない。
（２）また、空調機器４が水平に設置されている状態でダクト取付部１０から吹出しダクト６をはずそうとする場合、あるいは、吹出しダクト６をダクト取付部１０に取り付けようとする場合、あるいは、取り付けられている吹出しダクト６の状態を点検しようとする場合には、かご室天井９とダクト取付部１０との距離Ｂが少ないため、作業が困難である。
（３）このため、上記（１）、（２）のメンテナンスを行なう場合は、図３のように空調機器４を回転させないとすれば、図１の水平状態におかれた空調機器４を取付台６１からはずし、別の場所に移動してメンテナンス作業をする必要があった。
（４）これに対して本実施の形態１の空調機器４の取付構造によれば、図３のように回転可能となるので、空調機器４をさらに△Ｂだけ持ち上げることができる。このため、持ち上げた状態で作業ができるので、空調機器４を取付台６１から取り外して別の場所に移動させてメンテナンスを行なうという手間がなくなる。
【０００９】
次に、図４、図５、図６を参照して空調機器４の取付構造の詳細を説明する。図４は、図１に対応し、取付構造に使用される部品を具体的に示すとともに、吸込みダクト５、吹出しダクト６をハッチングで示した。図５は、空調機器４が取り付けられた状態において、空調機器４の正面図（図５（ａ））と右側面図（図５（ｂ））とを示す図である。図５（ａ）は、図４から吸込みダクト５，吹出しダクト６を取り除いた図である。図６は、空調機器４を取り付ける場合の取付台座と取付台との取付関係を示す図である。図６（ａ）は図５（ａ）に対応し、図６（ｂ）は図５（ｂ）に対応する。
【００１０】
（１．取付構造の概要）
空調機器４は、図６の破線で示したＡ部の構造で取り付けられる４箇所の取付台座１１、２１，３１、４１が、それぞれの対応する取付台６１、６２の端部と組み合うことで、取付台６１，６２に取り付けられる。Ａ部構造は、機器側台座取付部５１の両端、機器側台座取付部５２の両端の４箇所に設けられているが、いずれも同じ構成である。なお図６は、部品同士の接続関係を示すものであり、組み立て手順を示すものではない。例えば、取付台座２１は、先に取付台６１に取り付けられても構わない。
【００１１】
（２．空調機器の取付位置）
図４に示すように、空調機器４は、かご室天井９の上部に渡された上梁２に取り付けられる。また、空調機器４は、図５に示すように、吹出しダクト６が取り付けられるダクト取付部１０を、かご室天井９に対向する面となる下面８４に備えている。
【００１２】
（３．空調機器側の取付構造）
図６を参照して、空調機器側の取付構造を説明する。空調機器４は、下面８４に、取付機器側台座取付部５１と機器側台座取付部５２とを備えている。機器側台座取付部５１には、取付台座１１（第１台座）と、取付台座２１（第２台座）とが取り付けられる。機器側台座取付部５２には、取付台座３１（第３台座）と、取付台座４１（第４台座）とが取り付けられる。機器側台座取付部５１と機器側台座取付部５２とは、空調機器４の下面８４に、溶接、あるいはネジ止め等により取り付けられ、空調機器４の一部となる。図６には取付台座３１は現れていないが、機器側台座取付部５２では、機器側台座取付部５１における取付台座１１に対応する位置に取付台座３１が取り付けられており、取付台座２１に対応する位置に取付台座４１が取り付けられている。
【００１３】
（４．Ａ部の構造）
図６を参照して、Ａ部の構造を説明する。取付台座２１（第２台座）は、機器側台座取付部５１の端部に取り付けられている。取付台座２１は、空調機器４の下面８４側において長手方向の端部に取り付けられている。機器側台座取付部５１は「コの字」状の断面である。機器側台座取付部５１の「コの字」の突起が起立している側の内面に防振ゴム２３を介し、ボルト２４ｂとナット２４ｎとにより、取付台座２１が取り付けられる。すなわち、機器側台座取付部５１、防振ゴム２３、取付台座２１にはボルト２４ｂのボルト軸の貫通する穴が開けられており、ボルト軸は、機器側台座取付部５１、防振ゴム２３、取付台座２１のそれぞれの穴を通した後、ナット２４ｎで止められる。
【００１４】
（５．取付台６１と上梁２との取付関係）
次に、図６を参照して、取付台６１と上梁２との取付関係を説明する。なお、取付台６２と上梁２との取付構造も同じである。上梁２は、かご枠の縦柱３にボルトで固定されている。取付台６１は、上梁２の上面にボルト８１ｂ、ナット８１ｎ、ボルト８２ｂ、ナット８２ｎ等により固定されている。取付台６１（第１細長材）は、空調機器４（機器側台座取付部５１）の長手方向の長さと略同じ長さであり、断面が「コの字」状の細長材である。また、取付台６２（第２細長材）も、空調機器４の長手方向の長さ（機器側台座取付部５２）と略同じ長さの断面「コの字」状の細長材である。取付台６２は、取付台６１に対して、空調機器４の長手方向に略直交する方向のダクト取付部１０の最大幅よりも大きな間隔を隔てて上梁２に並設されている。すなわち、取付台６１と取付台６２とは、空調機器４のダクト取付部１０を挟む位置に配置されるけれども、取付台６１と取付台６２との間隔はダクト取付部１０の最大幅よりも大きいので、取付台６１、取付台６２が、ダクト取付部１０と干渉することはない。また、取付台６１の両端の破線で囲むＢ部は、面取り加工（曲率Ｒ）がなされている。これは、図３のように空調機器４が回転する場合に、回転の支持側となる取付台座１１と取付台６１との干渉を防止するためである。図６では、面取り加工は取付台６１の両端部に施してある。取付台６２についても同じである。
【００１５】
（６．取付台座と取付台との取付関係）
図６を参照し、取付台座と取付台との取付関係を説明する。Ａ部について説明する。前記のように他の３箇所についてもＡ部と同じ取付関係である。取付台座２１は、取付台６１に、ボルト２２ｂとナット２２ｎにより取り付けられる。図６に示すように、取付台座２１、取付台６１には、ボルト２２ｂのボルト軸が貫通する穴が開いている。図５に示すように、取付台座２１と取付台６１とは、互いに「コの字」の突起側どうしが組み合うように取り付けられる。取付台座２１の「コの字」断面の内側の幅は、取付台６１の「コの字」断面の外側の幅よりもやや広いので、取付台座２１は取付台６１と組み合うことができる。取付台座２１と取付台６１との貫通穴が重なった状態でボルト２２ｂのボルト軸を通してナット２２ｎで締める。あるいは、ナット２２ｎは取付台６１に溶接してもよい。図６では、説明のためにボルト２２ｂの１本のみを示しているが、実際には、図５に示すように、二組のボルト２２ｂ、ナット２２ｎにより固定される。この場合、ボルト２２ｂのボルト軸の軸線は、取付台６１の長手方向に対して略直角の方向である。すなわち、取付台座２１を取付台６１に固定する２本のボルト２２ｂ、及び取付台座４１を取付台６２に固定する２本のボルト４２ｂの４本は、ボルト軸が略同一である。同じく、取付台座１１を取付台６１に固定する２本のボルト１２ｂ、及び取付台座３１を取付台６２に固定する２本のボルト３２ｂの４本は、ボルト軸が略同一である。これは図３に示すように、空調機器４がボルト１２ｂ、ボルト３２ｂを支点として回転するには、互いのボルト軸は略同一であることが必要だからである。なお、図３において回転の支点とならない取付台座２１側、取付台座４１側のボルト２２ｂ、ボルト４２ｂのボルト軸については、要求されないが、取付台座１１側及び取付台座３１側と同じとすれば、図３において、ボルト２２ｂ、ボルト４２ｂを支点として回転することも可能となる。
【００１６】
（７．回転させる手順）
図５に示す空調機器４の通常の取付状態（通常のエレベータ運転時）を、空調機器４を回転させた図３の状態（メンテナンス時）にする手順を説明する。
（１）作業者は、取付台座２１のボルト２２ｂ（第２ボルト）と、取付台座４１のボルト４２ｂ（第４ボルト）とをすべて取り外す（この例では合計４本）。
（２）また、作業者は、取付台座１１のボルト１２ｂ（第１ボルト）と取付台座３１のボルト３２ｂ（第３ボルト）とをすべて緩める（この例では合計４本）。
（３）これにより、空調機器４は、２本のボルト１２ｂ（第１ボルト）、及び２本のボルト３２ｂ（第３ボルト）を回転の支点として、図３のように、回転が可能となる。作業者は、空調機器４を図３の状態まで回転させることができる。
【００１７】
（８．支え部材）
図７は、図３の状態において、取付台座２１と取付台６１の端部とを締結する支え部材７１（連結部材）を用いた場合を示す図である。支え部材７１は、専用に設けられた取付台座２１、取付台６１の穴にピン７２、７３で止められてもよいし（図７の場合）、あるいは、一方の端部がボルト２２ｂの通る取付台座２１の穴にピン７３で取り付けられ、他方の端部がボルト２２ｂの通る取付台６１の穴にピン７２で取り付けられても構わない。このとき、機器側台座取付部５１、取付台６１、支え部材７１は３リンクを構成するので、支え部材７１は、機器側台座取付部５１（空調機器４）の回転を支えることができる。なお、支え部材７１の一端は、取付台座２１に取り付けたが、前記の３リンクを構成するのであれば、機器側台座取付部５１に取り付けても良いし、空調機器４自体に取り付けても構わない。なお、取付台６１あるいは取付台座２１に支え部材７１の片端を自由に可動させられるよう取付けておいてもよい。これにより、持ち上げた状態をすぐに保持することが出来る。また、取付台６２にも、取付台６１と同様に支え部材を取り付けてもよい。
【００１８】
以上説明した実施の形態１による空調機器４の取付構造により、片方の取付台座のボルトを外せば他方の取付台座の固定ボルトを支点として、空調機ごと回転させて持ち上げることができる。このため、ダクトの取付け・取替えなどの作業効率を向上させることが出来る。また、空調機ごと回転させて持ち上げることにより、ダクトの取付部分の視認性が向上するので、据付、保守作業の負担が軽減する。また、取付台６１、取付台６２の断面を「コの字」形状としたので、Ｌ字型の鋼材を組み合わせる場合よりも剛性を高くできるとともに、空調機器４の取付位置を低くできるので、据付及び保守性の向上を図ることが出来る。
【００１９】
以上の実施の形態１では、図１に示すようなかご枠の上梁２に空調機器４を取り付ける取付台が、図６に示すように角を面取りしたコの字型形状のレール状となっており、空調機器本体の取付台座と取付台（レール）とのボルト締結位置が、取付台（レール）の両端に寄っていることを特徴とする空調機器の取付構造を説明した。この「空調機器の取付構造」により、空調機器とかご室内を結ぶ吹出しダクト、あるいは吸込みダクトが、空調機器本体の下部から出ている場合、上記取付構造を取ることにより、図３に示すように、ダクトの取付け、取り外し時に片側の空調機器本体を取り付ける取付台座のボルトを外すことで、反対側の取付台座の取付台の固定ボルトを支点として、空調機器本体を持ち上げることができる。このため、ダクトの取付け・交換作業において、視認性・作業性が向上する。
【００２０】
以上の実施の形態１では、図７に示すように、取付台と取付台座とを締結する支え部材を備えた空調機器の取付構造を説明した。空調機器は、通常、重量があり、作業者一人では作業性・安全性の面で困難が伴う。そこで、支え部材７１を設けたことによって、空調機器を持ち上げた状態を保持することが可能となり、作業の安全性と作業のやりやすさとが向上する。
【図面の簡単な説明】
【００２１】
【図１】実施の形態１における空調機器４の取付状態を示す図。
【図２】実施の形態１における空調機器４の取付状態を昇降路の上部からみた場合を示す図。
【図３】実施の形態１における空調機器４の回転を示す図。
【図４】実施の形態１における空調機器４の取付構造を示す図。
【図５】実施の形態１における空調機器４の取付構造を示す別の図。
【図６】実施の形態１における空調機器４の取付台座と取付台との取付関係を示す図。
【図７】実施の形態１における空調機器４を支え部材７１によって支えた場合を示す図。
【図８】従来技術を示す図。
【符号の説明】
【００２２】
１  かご室、２  上梁、３  縦柱、４  空調機器、５  吸込みダクト、６  吹出しダクト、７  手摺、８  電装品ボックス、９  かご室天井、１０  ダクト取付部、１１，２１，３１，４１  取付台座、１２，２２，３２，４２  ボルト、１３，２３，３３，４３  防振ゴム、１４，２４，３４，４４  ボルト、５１，５２  機器側台座取付部、６１，６２  取付台、７１  支え部材、７２，７３  ピン、８１，８２  ボルト、８３  ボルト軸線。
【図１】
0005100326.tif 000002
【図２】
0005100326.tif 000003
【図３】
0005100326.tif 000004
【図４】
0005100326.tif 000005
【図５】
0005100326.tif 000006
【図６】
0005100326.tif 000007
【図７】
0005100326.tif 000008
【図８】
0005100326.tif 000009